(57)【特許請求の範囲】
【請求項１】
便器上に固定され、制御回路を有する本体と、
前記本体に回動自在に取り付けられ、かつ発熱手段を内装する便座と、
前記本体に回動自在に取り付けられた便蓋と、からなり、
前記便蓋は、閉止時には、前記本体上面および前記便座上面を覆い、かつ前記便蓋の後部と前方の部分とが、前記本体と前記便座との間に形成される隙間の上方を頂点としてそれぞれ下方に傾斜している、トイレ装置。
【請求項２】
前記便蓋が、閉止時において、前記本体側面を更に覆う、請求項１に記載のトイレ装置。
【請求項３】
前記便蓋が、閉止時において、前記便座側面を更に覆う、請求項２に記載のトイレ装置。
【請求項４】
前記便蓋を複層構成とした請求項１から３のうちのいずれか１項に記載のトイレ装置。
【請求項５】
前記便蓋が、前記便座上面と対向する部分の厚みを前記便座上面と対向しない部分の厚みに比較して厚く構成されている、請求項１から３のうちのいずれか１項に記載のトイレ装置。
【請求項６】
前記便蓋が３層以上の複層構成を有しており、内部に位置する層として断熱層が設けられている、請求項４に記載のトイレ装置。
【請求項７】
前記便蓋の閉止時において、前記便蓋の前記便座上面と対向する前記部分が、前記便座を包み込むような形状とされている、請求項５に記載のトイレ装置。
【請求項８】
前記便蓋の前記便座に対向する面が熱反射する構成を有している、請求項１から７のうちのいずれか１項に記載のトイレ装置。
【発明の詳細な説明】
【０００１】
【発明の属する技術分野】
本発明はトイレ装置に関するものである。
【０００２】
【従来の技術】
近年、便座表面を温める機能を有するトイレ装置が普及しており、特に冬期のトイレ空間を快適に使用する手段として広く利用されている。従来のトイレ装置は、便座に発熱手段を内装し、便座の表面温度を一定に保つように制御されている（例えば、特許文献１参照）。図１１は、前記特許文献１に記載された従来のトイレ装置であるが、図に示したように、本体１には発熱手段を内装する便座２が取り付けられており、同じく本体１に取り付けられた便蓋３は閉止時に、本体１と便蓋３の間に隙間４があり、本体１と便座２の上面を覆う構成をしている。
【０００３】
【特許文献１】
特開２００１−２１２０２７号公報（第１〜３ページ図１）
【０００４】
【発明が解決しようとする課題】
便座に内装する発熱手段は、スイッチが入ると便座表面が瞬時に温まるというものではなく、人体にとって快適な温度に達するまでにはある程度の時間を有する。トイレ空間は使う時間が明確に特定できないため、常に発熱手段を作動させておくのが一般的である。地球環境の保護が重視される昨今、省エネに対する意識も高まりつつあり、トイレ装置に関しても便座からの放熱を抑えながら便座表面の温度を保つ必要がある。しかしながら、従来のトイレ装置では便蓋閉止時に本体と便蓋との間に隙間があり、その隙間から便座表面の熱が逃げてしまい、余計なエネルギを消費するという課題を有していた。
【０００５】
【課題を解決するための手段】
前記従来の課題を解決するために、本発明のトイレ装置は、
便器上に固定され、制御回路を有する本体と、
前記本体に回動自在に取り付けられ、かつ発熱手段を内装する便座と、
前記本体に回動自在に取り付けられた便蓋と、からなり、
前記便蓋は、閉止時には、前記本体上面および前記便座上面を覆い、かつ前記便蓋の後部と前方の部分とが、前記本体と前記便座との間に形成される隙間の上方を頂点としてそれぞれ下方に傾斜している、
ものである。これによって本体と便蓋の隙間から便座の熱を逃げにくくすることができる。また、本発明のトイレ装置の場合、温まった便座からの熱は便蓋の裏壁面に沿って上昇するが、上述のように、便蓋が本体上面および便座上面を覆い、かつ便蓋の後部を下方に傾斜させることに加えて、便蓋の前部も下方に傾斜させ、便蓋の断面が山形となるように構成することにより、上昇した便座からの熱を便蓋の外部に逃がしにくくすることが確実にできる。これにより効率的に便座を保温できる。
【０００６】
【発明の実施の形態】
請求項１に記載の発明は、便器上に固定され、制御回路を有する本体と、
前記本体に回動自在に取り付けられ、かつ発熱手段を内装する便座と、
前記本体に回動自在に取り付けられた便蓋と、からなり、
前記便蓋は、閉止時には、前記本体上面および前記便座上面を覆い、かつ前記本体上面を覆う前記便蓋の後部は、後方が下方に傾斜している、
トイレ装置である。そして、本体上面と便座上面を覆うことにより、本体と便蓋の隙間から便座の熱が逃げるのを防ぐことができる。また、本発明のトイレ装置の場合、温まった便座からの熱は便蓋の裏壁面に沿って上昇するが、上述のように、便蓋が本体上面および便座上面を覆い、かつ便蓋の後部を下方に傾斜させることに加えて、便蓋の前部も下方に傾斜させ、後述する図６に示すように便蓋の断面が山形となるように構成することにより、上昇した便座からの熱を便蓋の外部に逃がしにくくすることが確実にできる。これにより効率的に便座を保温できる。
【０００７】
請求項２に記載の発明は、上述の請求項１の発明の構成に加えて、便蓋が、閉止時において、本体側面を更に覆う構成を有するトイレ装置を提供する。そして、便蓋が本体上面、本体側面および便座上面を覆うことにより、本体と便蓋の隙間から逃げる熱だけではなく、さらに本体の側面から逃げる熱も防ぐことができる。
【０００８】
請求項３に記載の発明は、上述の請求項２の発明の構成に加えて、便蓋が、閉止時において、便座側面を更に覆う構成を有するトイレ装置を提供する。そして、便蓋が閉止時に本体上面、本体側面および便座上面を覆うことにより、本体と便座の隙間からの熱の逃げを防ぐと共に、さらに本体および便座の側面からの熱の逃げも防ぐことができる。
【００１０】
請求項４に記載の発明は、便蓋を複層構成としたものである。そして、便蓋を複層構成とすることにより、便蓋内に空気層ができ断熱層として働くため、便蓋から逃げていく熱を防ぐことができる。
【００１１】
請求項５に記載の発明は、請求項１から４のうちのいずれか１項に記載の発明の構成に加えて、便蓋が、便座上面と対向する部分の厚みを便座上面と対向しない部分の厚みに比較して厚く構成されている、トイレ装置を提供する。そして、便蓋の便座上面と対向する部分が部分的に厚く構成されたことにより、便蓋から逃げていく熱を防ぐことができる。
【００１２】
【実施例】
以下、本発明の実施例について図面を用いて説明する。
【００１３】
（実施例１）
図１は本発明の第１の実施例におけるトイレ装置の全体を示す斜視図である。図１において、１は便器６上に固定された本体で、本体１と回動自在に取り付けられてなる便蓋３と、同じく本体１と回動自在に取り付けられ、かつ発熱手段を内装する便座２で構成されている。更に、本体１内には、トイレ装置の機能を動作させるための制御回路８を有し、便座２と制御回路８は電気的に接続されている。便蓋３は、閉止時には本体１および便座２を覆うよう構成されている。ここで便座２が内装する発熱手段は、カーボンヒータを用いた場合立ち上がりが早く、設定した温度をすぐに得ることができる。ヒータ線を用いた場合、安価であり安定した性能を得ることができる。
【００１４】
以上のように構成されたトイレ装置について、以下その動作、作用を説明する。便座２は発熱手段を内装し、制御回路８により便座２表面温度を一定に保つ。図２は実施例１におけるトイレ装置の詳細斜視図である。
【００１５】
図において、便蓋３が本体１上面および便座２上面を覆うことにより、本体１と便蓋３の隙間４からの熱の逃げを防ぐことができる。図１１に示す従来例からもわかるように、従来のトイレ装置では隙間４の位置が本体１と便座２との取り付部の真上にある場合が多く、さらに便蓋２の回動部であり動きしろを設ける必要があるため隙間４を大きく確保する必要がある。
【００１６】
しかしながら、本構成を採用する事により、隙間４からの熱の逃げを少なくすることができる。トイレ装置は、制御回路８により便座２表面温度はある温度範囲を保つよう制御されているため、熱の逃げが少ないと通電率を下げることができ、無駄な電力消費をおさえることができる。
【００１７】
図３は実施例１におけるトイレ装置の詳細斜視図である。便蓋３が本体１上面、本体１側面および便座２上面を覆うことにより、本体１と便蓋３の隙間４からの熱の逃げを防ぐことができ、さらに本体１側面からの熱の逃げもおさえることができ、より効率的に便座２表面温度を保つことができる。ここで側面はトイレ装置の左右側面とする。また、便蓋２が本体１側面を覆う構成とすると、便蓋２取り付部を本体１側面外側にヒンジを設けることが可能となる。これにより、便蓋２の取り付および取り外しが容易になり、製造性も向上でき、さらに掃除の負担を軽減できる。また、便蓋２を可撓性のあるものにすることにより、取り付および取り外しがさらに容易になる。
【００１８】
図４は実施例１におけるトイレ装置の詳細斜視図である。便蓋３が本体１上面、本体１側面および便座２上面、便座２側面を覆うことにより、本体１と便蓋３の隙間からの熱の逃げを防ぐことができ、さらに本体１および便座２側面からの熱の逃げもおさえることができ、より効率的に便座２表面温度を保つことができる。また、便蓋２が本体１および便座２をすべて覆う構成となるため、デザイン性が向上し美観が増す。
【００１９】
なお、便蓋２をモーターにより自動で開閉する機能をトイレ装置に搭載する場合、モーターのトルクを小さくするため、あるいは耐久性を向上させるため、便蓋２の軽量化が求められることがある。また、構成上の制限によりトイレ装置の大きさを小さくしたい時や、可動性の向上が要求される場合もある。このような場合には便蓋２が本体１および便座２上面のみを追覆う構成を用いるとよい。
【００２０】
図５は実施例１におけるトイレ装置の断面図である。温まった熱は便蓋３の裏壁面に沿って上昇するが、便蓋３後方が下方に傾斜している場合、上昇する熱の逃げを下方傾斜により阻止できる。これにより効率的に便座２を保温できる。
【００２１】
図６は実施例１におけるトイレ装置の断面図である。本体１と便座２の隙間を頂点として、前方も下方に傾斜すると山形となり効果が増す。さらに、本体１と便座２と同じカーブに傾斜させると美観が増す。
【００２２】
図７は実施例１におけるトイレ装置の詳細斜視図である。本体１もしくは便蓋３に、本体１と便蓋３の隙間を抑えるようリブ５を立てることによっても同等の効果が得られる。
【００２３】
以上のように、便蓋３を構成することにより、非使用時に便蓋が本体と便座を覆っているため、埃が本体、便座、便蓋の隙間にたまりにくく、掃除の負担が軽減される。
【００２４】
（実施例２）
図８は実施例２におけるトイレ装置の断面図である。便蓋３を複層構造とする場合、便蓋３からの熱の逃げを少なくすることができる。複数構造にすることにより厚みが増し、熱の逃げを少なくできる。さらに、複層構造として間に空気層をつくるとより断熱層として働くため効果が増す。断熱材を用いてもよい。便蓋表面に便蓋と異なる色や形状で複層構造とした場合、デザイン性が向上する。
【００２５】
（実施例３）
図９は実施例３におけるトイレ装置の断面図である。便座２上面と対向する便蓋３の部分の厚みを厚く構成することで、便蓋３から逃げていく熱を防ぐことができる。便蓋３の重量増加を最小限に抑え、効果を出すことができる。
【００２６】
図１０は実施例３におけるトイレ装置の断面図である。便座２上面と対抗する便蓋３の部分の厚みを厚く、さらに便座２を包み込むような形状にすると、便座２側面からの熱の逃げも防ぐことができる。
【００２７】
また、単一層で便座２と対向する部分の厚みを厚くした場合、複層構成にした場合より汚れがたまるような凹凸を少なくでき、掃除の負担を軽減できる。
【００２８】
また、以上で述べたトイレ装置に人体検出機能を搭載し、かつ自動的に便蓋が閉まるように制御可能とする場合、トイレ室内の人体の有無を検出し、人がいないと判断すれば便蓋２を閉めることが可能であり、便蓋２の閉め忘れによる無駄な電力消費をおさえることができる。
【００２９】
便蓋３において便座２と対向する面を熱が反射させる構成とすることにより熱の逃げを抑えることができる。ここで、便蓋３の便座２と対向する面を銀色で塗装する事により、安易に効果を得ることができる。なお、トイレ装置には局部洗浄機能が搭載される場合もある。
【００３０】
【発明の効果】
以上のように、本発明によれば、熱の逃げを少なくでき便座の消費電力をおさえることができる。
【図面の簡単な説明】
【図１】本発明の実施例１におけるトイレ装置の全体の構成を示す斜視図
【図２】同トイレ装置の第１例を示す詳細斜視図
【図３】同トイレ装置の第２例を示す詳細斜視図
【図４】同トイレ装置の第３例を示す詳細斜視図
【図５】同トイレ装置の断面図
【図６】同トイレ装置の他の断面図
【図７】同トイレ装置の詳細斜視図
【図８】本発明の実施例２におけるトイレ装置の断面図
【図９】本発明の実施例３におけるトイレ装置の断面図
【図１０】同トイレ装置の他の形態を示す断面図
【図１１】従来のトイレ装置の全体斜視図
【符号の説明】
１  本体
２  便座
３  便蓋
４  隙間
５  リブ
６  便器
８  制御回路
【図１】
0004405168.tif 000002
【図２】
0004405168.tif 000003
【図３】
0004405168.tif 000004
【図４】
0004405168.tif 000005
【図５】
0004405168.tif 000006
【図６】
0004405168.tif 000007
【図７】
0004405168.tif 000008
【図８】
0004405168.tif 000009
【図９】
0004405168.tif 000010
【図１０】
0004405168.tif 000011
【図１１】
0004405168.tif 000012